(57)【要約】【課題】後付けの外部チューナを使用する場合に、本体内部の記憶部ではなく、外部の記憶部に情報を保存することができるようにする。【解決手段】外付チューナユニット２０のチューナ部２２に関する情報の場合、その外付チューナユニット２０内に、不揮発性メモリ２３が装備されているかチェックを行なう。外付チューナユニット２０内に、不揮発性メモリ２３が装備されていれば、その不揮発性メモリ２３で情報の読み書きを行なう。こうして、チューナに関する設定情報や番組予約情報などを外付けチューナユニット内に保存できる。【選択図】　　　　　図１
2004064290.tif 000002
【特許請求の範囲】
【請求項１】
着脱自在な外付チューナユニットを装置本体部に装着した放送受信装置において、
前記装置本体部は、第１のメモリ部を備え、前記外付チューナユニットが第２のメモリ部を備えているかを判断して、備えている場合は情報を保存することを特徴とする放送受信装置。
【請求項２】
前記第２のメモリ部は、不揮発性メモリであることを特徴とする請求項１記載の放送受信装置。
【請求項３】
前記第２のメモリ部は、前記第１のメモリ部の補助として使用することを特徴とする請求項１記載の放送受信装置。
【請求項４】
第１のメモリ部を備えた放送受信装置に装着可能な外付チューナユニットにおいて、
チューナ部と第２のメモリ部を備えたことを特徴とする外付チューナユニット。
【請求項５】
前記第２のメモリ部は、不揮発性メモリであることを特徴とする請求項４記載の外付チューナユニット。
【請求項６】
前記第２のメモリ部は、前記第１のメモリ部の補助として使用することを特徴とする請求項４記載の外付チューナユニット。
【発明の詳細な説明】
【０００１】
【発明の属する技術分野】
本発明は、カード型等の後付けによりチューナユニットを取り付けて新たな受信機能を付加することが可能な放送受信装置及びそれに着脱自在な外付チューナユニットに関する。
【０００２】
【従来の技術】
カード型等の電子チューナを受信装置に装着して、放送受信の新たな機能を付加するものに関し、以下のような従来例が開示されている。
【０００３】
特許第２７６２１７８号公報によれば、常時、チューナを必要としない機器において、テレビジョンの映像および音声を受信したいときにのみ、本体に装着して受信を可能とする外付けの電子チューナの技術が記載されている。
【０００４】
特開平２００１−１３６４４５号公報によれば、ＩＣカード等に、初期設定時に必要な選局情報を記憶しておき、受信衛星切換えのためのスイッチ等を搭載せずに、保有媒体の挿入時にその選局情報を読み込み、自動的に選局情報の設定を変更する技術が記載されている。
【０００５】
特開平２−１７２３１４号公報によれば、外部メモリに、使用周波数バンドが互いに異なる各国、地域向け用の周波数テーブルを記憶しておき、選局時に、チューニングマイコンが、外部メモリから対応した周波数データを読み出すことにより、チューニングマイコンを共通に使用する技術が記載されている。
【０００６】
ここで、代表的な従来例を図３に示す。
図３に示す従来のデジタル放送受信装置５１は、装置本体部であるチューナユニット１０と、着脱自在なカード型の外付チューナユニット６０から構成されている。
チューナユニット１０は、チューナ部１１、不揮発性メモリ１２、メモリ１３、制御部１４、接続部１５から構成されている。外付チューナユニット６０は、接続部６１、チューナ部６２から構成されている。
【０００７】
チューナユニット１０には、内蔵のチューナ部１１があり、後付けにより、チューナ機能を拡張する場合には、接続部１５と、外部チューナユニット６０の接続部６１を接続し、これによって、外部チューナユニット６０のチューナ部６２を、チューナユニット１０から使用することが可能となる。例えば、衛星デジタル受信機１０のチューナ部１１は、衛星デジタル放送のみに対応しており、外付チューナユニット６０を接続することにより、地上波デジタルのチューナ部６２が拡張され、衛星デジタル放送と地上波デジタル放送が受信可能になる。
ここで、チューナユニット１０と、外付チューナユニット６０の接続は、カード型のように受信機内にスロットインしても良く、箱型ユニットをケーブル等で接続しても良い。
【０００８】
【発明が解決しようとする課題】
ここで、図３のような従来の放送受信装置では、ＦＬＡＳＨやＥＥＰＲＯＭといった不揮発性メモリ１２が、チューナユニット１０の内部にのみ装備されている。したがって、受信装置の設定情報や、番組予約の情報など、視聴のための情報を保存するには、内部の不揮発性メモリ１２を使用することになる。外付チューナユニット６０は、後から、複数のチューナを入れ替えて使うこともでき、情報を内部の不揮発性メモリ１２に保存するには、十分な容量が必要になってしまう。
【０００９】
また、ＩＣカードや外部メモリにより、視聴のための初期設定情報を、外部記憶部から読み出す技術はあるが、通常の選局情報や設定情報等を、外部メモリ部に保存し、また、取得することは出来ない。
【００１０】
本発明は、そのような状況に鑑みてなされたもので、後付けの外部チューナを使用する場合に、本体内部の記憶部ではなく、外部の記憶部に情報を保存することができる放送受信装置及びそれに着脱自在な外付チューナユニットを提供することを目的とする。
【００１１】
【課題を解決するための手段】
本発明は、こうした課題を解決するための手段を提供するもので、以下の技術手段を構成する。
【００１２】
本発明は、着脱自在な外付チューナユニットを装置本体部に装着した放送受信装置において、前記装置本体部は、第１のメモリ部を備え、前記外付チューナユニットが第２のメモリ部を備えているかを判断して、備えている場合は情報を保存することを特徴とする。
【００１３】
ここで、本発明の放送受信装置は、前記第２のメモリ部が、不揮発性メモリであってもよいし、前記第２のメモリ部が、前記第１のメモリ部の補助として使用してもよい。
【００１４】
また、本発明は、第１のメモリ部を備えた放送受信装置に装着可能な外付チューナユニットにおいて、チューナ部と第２のメモリ部を備えたことを特徴とする。
【００１５】
ここで、本発明の外付チューナユニットは、前記第２のメモリ部が、不揮発性メモリであってもよいし、前記第２のメモリ部が、前記第１のメモリ部の補助として使用してもよい。
【００１６】
【発明の実施の形態】
以下、本発明の実施の形態について図１〜図２を用いて説明する。
【００１７】
図１は、本発明に係るデジタル放送受信装置の一実施形態を示すブロック図である。
このデジタル放送受信装置１は、装置本体部であるチューナユニット１０と、着脱自在なカード型の外付チューナユニット２０から構成されている。
【００１８】
チューナユニット１０は、前述の図３と同様に、チューナ部１１、制御部１４、接続部１５、メモリ部１６から構成されている。メモリ部１６は、不揮発性メモリ１２と、揮発性メモリ１３とからなる。外付チューナユニット２０は、接続部２１、チューナ部２２、図３には記載されていない不揮発性メモリ２３から構成されている。
ここで、チューナユニット１０と、外付チューナユニット２０の接続は、カード型のように受信機内にスロットインしても良く、箱型ユニットをケーブル等で接続しても良い。
【００１９】
次に、図２のフローチャートを用いて、外付チューナユニット２０に情報を保存できるデジタル放送受信装置１の例を示す。
図１に示す本発明の放送受信装置では、制御部１４において、情報の読み書きを開始する。
まず、どのチューナ部に関する情報なのかを判断する（Ｓ１１）。ここで、外付チューナユニット２０のチューナ部２２に関する情報の場合、その外付チューナユニット２０内に、不揮発性メモリ２３が装備されているかチェックを行なう（Ｓ１２）。ここでのチェックは、不揮発性メモリ２３のアドレスへのアクセスを行ない、正常なアクセスが出来れば装備されており、出来なければ装備されていない、等の方法により判断できる。外付チューナユニット２０内に、不揮発性メモリ２３が装備されていれば、その不揮発性メモリ２３で情報の読み書きを行ない（Ｓ１３）、情報読み書きは終了となる。
【００２０】
Ｓ１１において、チューナユニット１０の内蔵チューナ部１１に関する情報、または、各チューナ共通の情報だった場合、また、Ｓ１２において、外付チューナユニット２０内に不揮発性メモリ２３が装備されていなかった場合には、チューナユニット１０の内部の不揮発性メモリ１２を用いて情報の読み書きを行ない（Ｓ１４）、情報読み書きは終了となる。
【００２１】
このように図２のフローチャートのようにして、それぞれのチューナ部についての情報を、チューナユニット１０の内蔵の不揮発性メモリ１２、および、外付チューナユニット２０内の不揮発性メモリ２３に適切に情報を保存する。
例えば、ＢＳデジタルチューナを内蔵した放送受信装置において、ＣＳデジタルチューナユニットと、地上波デジタルチューナユニットを外付する場合、ＢＳデジタルに関するチューナ設定情報や、ＢＳデジタルの番組予約情報などは、放送受信装置内蔵の不揮発性メモリ１２に保存される。
【００２２】
また、ＣＳデジタルに関するチューナ設定情報や、ＣＳデジタルの番組予約情報などは、ＣＳデジタルチューナユニット内の不揮発性メモリ２３に保存され、地上波デジタルに関するチューナ設定情報や、地上波デジタルの番組予約情報などは、地上波デジタルチューナユニット内の不揮発性メモリ２３に保存される。また、各チューナに共通な設定情報などは、放送受信装置内部の不揮発性メモリに保存される。
【００２３】
これにより、受信機内部の不揮発性メモリに、あらかじめ外付チューナ用の容量を確保しておく必要はなく、また、ＣＳデジタルチューナユニットと、地上波デジタルチューナユニットを繋ぎ換えて使用しても、それぞれのチューナに関する設定は、正しく保存される。
【００２４】
また、外付チューナユニット２０を、別の受信機に接続して使用し、保存した設定や予約情報を、別の機器でも引き継いで使用することが出来る。例えば、据置き型のＢＳデジタル受信機に接続した、地上波デジタルチューナカードを、モバイル機器に接続して別の場所で使用する場合に、設定した情報や、番組予約情報などは、引き継いで使用することが出来る。
【００２５】
また、これまでの説明において、外部チューナユニット２０に、不揮発性メモリ２３を装備した場合を説明したが、他のメモリ等でも、同様に、外付チューナユニット２０に装備することは可能である。例えば、外付チューナユニット２０に、メモリを装備しておけば、チューナユニット１０の内蔵メモリ１３の容量が不足する場合、外付チューナユニット２０に装備されたメモリ（揮発性メモリ）を使用することも可能になる。
【００２６】
【発明の効果】
上記にて説明された本発明により以下の効果がもたらされる。
本発明に係る放送受信装置、および、外付チューナユニットは、上述したような構成としているので、カード型等の外付チューナユニット内にメモリ部を装備したことにより、それぞれのチューナに関する設定情報や番組予約情報などを外付けチューナユニット内に保存でき、チューナユニット本体内のメモリ部の容量が不足の場合や、複数の外付チューナユニットを入れ替えて使用する場合にも、それぞれのチューナに関する情報を正しく保存することが可能となる。
【図面の簡単な説明】
【図１】本発明に係るデジタル放送受信装置の一実施形態を示すブロック図である。
【図２】デジタル放送受信装置の制御部がメモリに対して情報の読み書きの手順を示すフローチャートである。
【図３】従来の放送受信装置の例を示すブロック図である。
【符号の説明】
１０　チューナユニット
１１　チューナ
１２　不揮発性メモリ
１３　メモリ
１４　制御部
１５　接続部
２０　外付チューナユニット
２１　接続部
２２　チューナ
２３　不揮発性メモリ
【図１】
2004064290.tif 000003
【図２】
2004064290.tif 000004
【図３】
2004064290.tif 000005